(57)【要約】【課題】キャップとしてのカバー筒の紛失のおそれがなく、また外観性の向上が図れる吐出容器を提供する。【解決手段】  容器体の口部へ装着させたポンプ内から起立するステム２０へ装着させたノズルヘッド３０の押下げで容器体内容物を吐出可能に設けた吐出容器であって、前記ノズルヘッド本体からノズル筒３２を突設し、容器体の胴部外面へカバー筒４０を上下動自在に嵌合させると共に、該カバー筒に前記ノズル筒下端へ係合可能なポンプ作動規制部４５を設け、該カバー筒は、不使用時に前記ポンプ作動規制部が前記ノズル筒３２下端へ係合して前記ノズルヘッドの押下げを規制する上限位置と、前記ポンプ作動規制部が前記ノズル筒下端から離間して前記ノズルヘッドの押下げを可能にする下限位置とを取る。【選択図】  図１
2011136723.tif 000002
【特許請求の範囲】
【請求項１】
容器体の口部へ装着させたポンプ内から起立するステム２０へ装着させたノズルヘッド３０の押下げで容器体内容物を吐出可能に設けた吐出容器であって、
前記ノズルヘッド本体からノズル筒３２を突設し、
容器体の胴部外面へカバー筒４０を上下動自在に嵌合させると共に、該カバー筒に前記ノズル筒下端へ係合可能なポンプ作動規制部４５を設け、
該カバー筒は、不使用時に前記ポンプ作動規制部が前記ノズル筒３２下端へ係合して前記ノズルヘッドの押下げを規制する上限位置と、前記ポンプ作動規制部が前記ノズル筒下端から離間して前記ノズルヘッドの押下げを許容する下限位置とを取ることを特徴とする吐出容器。
【請求項２】
前記カバー筒頂壁４３に、前記ノズルヘッドの上端部が嵌合可能な嵌合孔４４を形成すると共に、該嵌合孔の周縁前部から前記ポンプ作動規制部４５を構成する係合片を垂下したことを特徴とする請求項１記載の吐出容器。
【請求項３】
前記嵌合孔４４の周縁後部から垂下壁４６を垂設して、該垂下壁に、前記カバー筒の上限位置で前記ノズルヘッド下端へ係合可能な係合突部４７を形成したことを特徴とする請求項１又は２記載の吐出容器。
【請求項４】
前記ノズルヘッドを前記ステムへ回動自在に嵌合させると共に、ノズルヘッド本体に係合板３３を設けて、該係合板を前記嵌合孔４４内面へ上下動自在に係合させ、前記カバー筒の上下動時に、該カバー筒の回動力が前記係合板４４を介して前記ノズルヘッドへ伝達されることで該ノズルヘッドが前記カバー筒と同調して回動可能に設けたことを特徴とする請求項１ないし３のいずれか１項記載の吐出容器。
【請求項５】
前記ノズルヘッド本体の後部上面から後方へ突設する下向きＬ字状板で前記係合板３３を構成して、該係合板の後面を前記垂下壁４６へ上下動自在に係合させると共に、該係合板の左右両側面を前記嵌合孔４４後部の左右両部へ上下動自在に係合させたことを特徴とする請求項３又は４記載の吐出容器。
【請求項６】
前記係合板３３下端に切欠部３４を設けて、該切欠部へ前記係合突部４７を係合可能に設けたことを特徴とする請求項３ないし５のいずれか１項記載の吐出容器。
【請求項７】
前記容器体の胴部外面と前記カバー筒内面とのいずれか一方に溝部８を、かつ他方に突部４１を設けて、該突部を前記溝部へ摺動自在に嵌合させると共に、該溝部の上下両端部内面に前記突部が強制乗越え可能な該突部固定用のリブ８ｃ、８ｃを設けたことを特徴とする請求項１ないし６のいずれか１項記載の吐出容器。
【請求項８】
前記溝部８を螺旋状に形成して、前記カバー筒４０の回動で該カバー筒が上下動可能に設けたことを特徴とする請求項７記載の吐出容器。
【発明の詳細な説明】
【技術分野】
【０００１】
本発明は、ノズルヘッドの押下げで容器体内容物を吐出可能な吐出容器に関する。
【背景技術】
【０００２】
不使用時にノズルヘッドの不用意な押下げによる吐出を防止すべくノズルヘッドへキャップを嵌合可能にしたもの、あるいはノズルヘッドを容器体へ固定させることで押下げを防止可能にした吐出容器が従来技術として知られている。
【先行技術文献】
【特許文献】
【０００３】
【特許文献１】特開平０８−１１９２１号公報
【特許文献２】特開平０８−１６９４６２号公報
【発明の概要】
【発明が解決しようとする課題】
【０００４】
しかしながら、従来技術の前者では使用時にキャップを容器体から取外すため、キャップを紛失するおそれがあり、また後者ではノズルヘッドは露出状態にあるため外観向上の観点から好ましいものではなかった。
【０００５】
本発明は、上記課題を解決するためになされたもので、キャップとしてのカバー筒の紛失のおそれがなく、また外観性の向上が図れる吐出容器を提供することを目的とする。
【課題を解決するための手段】
【０００６】
上記課題を解決するために、本発明は、容器体の口部へ装着させたポンプ内から起立するステム２０へ装着させたノズルヘッド３０の押下げで容器体内容物を吐出可能に設けた吐出容器であって、
前記ノズルヘッド本体からノズル筒３２を突設し、
容器体の胴部外面へカバー筒４０を上下動自在に嵌合させると共に、該カバー筒に前記ノズル筒下端へ係合可能なポンプ作動規制部４５を設け、
該カバー筒は、不使用時に前記ポンプ作動規制部が前記ノズル筒３２下端へ係合して前記ノズルヘッドの押下げを規制する上限位置と、前記ポンプ作動規制部が前記ノズル筒下端から離間して前記ノズルヘッドの押下げを許容する下限位置とを取ることを特徴とする。
【０００７】
また、本発明は、前記カバー筒頂壁４３に、前記ノズルヘッドの上端部が嵌合可能な嵌合孔４４を形成すると共に、該嵌合孔の周縁前部から前記ポンプ作動規制部４５を構成する係合片を垂下したことを特徴とする。
【０００８】
さらに、本発明は、前記嵌合孔４４の周縁後部から垂下壁４６を垂設して、該垂下壁に、前記カバー筒の上限位置で前記ノズルヘッド下端へ係合可能な係合突部４７を形成したことを特徴とする。
【０００９】
さらに、本発明は、前記ノズルヘッドを前記ステムへ回動自在に嵌合させると共に、ノズルヘッド本体に係合板３３を設けて、該係合板を前記嵌合孔４４内面へ上下動自在に係合させ、前記カバー筒の上下動時に、該カバー筒の回動力が前記係合板４４を介して前記ノズルヘッドへ伝達されることで該ノズルヘッドが前記カバー筒と同調して回動可能に設けたことを特徴とする。
【００１０】
さらに、本発明は、前記ノズルヘッド本体の後部上面から後方へ突設する下向きＬ字状板で前記係合板３３を構成して、該係合板の後面を前記垂下壁４６へ上下動自在に係合させると共に、該係合板の左右両側面を前記嵌合孔４４後部の左右両部へ上下動自在に係合させたことを特徴とする。
【００１１】
さらに、本発明は、前記係合板３３下端に切欠部３４を設けて、該切欠部へ前記係合突部４７を係合可能に設けたことを特徴とする。
【００１２】
さらに、本発明は、前記容器体の胴部外面と前記カバー筒内面とのいずれか一方に溝部８を、かつ他方に突部４１を設けて、該突部を前記溝部へ摺動自在に嵌合させると共に、該溝部の上下両端部内面に前記突部が強制乗越え可能な該突部固定用のリブ８ｃ、８ｃを設けたことを特徴とする。
【００１３】
さらに、本発明は、前記溝部８を螺旋状に形成して、前記カバー筒４０の回動で該カバー筒が上下動可能に設けたことを特徴とする。
【発明の効果】
【００１４】
本発明は、容器体の胴部へカバー筒を嵌合させるため、カバー筒を紛失するおそれがない。
【００１５】
また、本発明は、不使用時に、ノズルヘッドを覆うカバー筒を備えているため、外観性の向上を図ることができる。
【００１６】
さらに、本発明は、カバー筒は、不使用時にポンプ作動規制部がノズル筒下端へ係合してノズルヘッドの押下げを規制するため、ノズルヘッドの不用意な押下げを防止することができる。
【００１７】
さらに、本発明は、カバー筒の回動力がノズルヘッドへ伝達されることで該ノズルヘッドがカバー筒と同調して回動可能であるから、使用時にカバー筒を把持する手の位置を変える必要がない。
【図面の簡単な説明】
【００１８】
【図１】本発明に係る吐出容器の要部の分解斜視図である。
【図２】ノズルヘッドの斜視図である。
【図３】カバー筒の上限位置における平面図である。
【図４】カバー筒の下限位置における吐出容器の前面図である。
【図５】作用を説明する断面図である。
【図６】カバー筒の下限位置における吐出容器の後面を示す略示図である。
【図７】溝部の展開図である。
【発明を実施するための形態】
【００１９】
以下に本発明の実施の形態について、図面を参照しながら詳細に説明する。
【００２０】
１は容器体で、周壁２上端から肩部を介して口頸部３を起立すると共に、周壁２上部外面の上半部を上向き段部４を介して小外径部に形成し、小外径部下部外面に係合突条５を周設し、かつ該小外径部外面へ補助筒６を嵌合させている。
【００２１】
補助筒６は周壁２の肩部へ係合させた内向きフランジ７から内外二重筒を垂下して、内筒を係合突条５へ係合させると共に、外筒外面に螺旋状の溝部８を形成している。溝部８は螺旋部８ａと、螺旋部の上下両端に連設された周方向への水平部８ｂ、８ｂとから形成され、かつ水平部と螺旋部との境界部にはリブ８ｃ、８ｃが形成されている。溝部８は平面視約９０度の角度、すなわち四分の一円周角度に設定するのが好ましい。周壁２と補助筒６は容器体の胴部９を構成する。
【００２２】
１０はポンプで、容器体内へ垂下するシリンダ１１上端を容器体口頸部上端へ係合させると共に、シリンダ１１内へ環状ピストン１２を上方付勢状態で上下動自在に嵌合させている。
【００２３】
２０は環状ピストン１２から起立するステムで、容器体口頸部へ螺合させた装着筒１４上壁の透孔へ上下動自在に挿通させている。
【００２４】
３０はノズルヘッドで、ステム２０上端部へ回動自在に嵌合させた嵌合筒３１の前部からステムへ連通させてノズル筒３２を前方へ突設させると共に、嵌合筒３１の上壁後部から係合板３３としての側方視下向きＬ字状板を後方へ突設させている。
【００２５】
係合板３３は嵌合筒３１上壁から後方へ突出する連結板３３ａと、連結板後端から垂下する垂下板３３ｂとから形成されていて、連結板は平面視扇形状に、また垂下板の断面形状は後方へ凸の円弧状に形成され、かつその下端はノズルヘッドの嵌合筒３１下端より下方へ延設し、さらに垂下板下端の左右中間部には切欠部３４が形成されている。
【００２６】
４０はカバー筒で、その下部を補助筒６外面へ回動自在かつ上下動自在に嵌合させると共に、内面に突設した突部４１を補助筒６の溝部８へ摺動自在に嵌合させており、カバー筒４０の上限位置では突部４１は上方に位置する水平部８ｂに、また下限位置では下方に位置する水平部８ｂに、それぞれ嵌合すると共に、カバー筒４０を回動させるとリブ８ｃ、８ｃを強制的に乗越えて螺旋部８ａへ移行する。
【００２７】
カバー筒４０頂壁４３に、ノズルヘッド３０の上端部が嵌合可能な嵌合孔４４を設けて、その後部を連結板３３ａが嵌合可能な平面視扇形状に形成することで、この扇形状部の左右両端の角部へ係合板３３の左右両側面が上下動自在に係合可能に設ける。
【００２８】
さらに、嵌合孔４４の周縁前部からポンプ作動規制部４５を構成するＬ字状の係合片を垂下すると共に、嵌合孔４４の周縁後部から垂下壁４６を垂設して、垂下壁４６を係合板３３の垂下板３３ｂへ摺接させ、さらに垂下壁４６に、カバー筒４０の上限位置で垂下板３３ｂの切欠部３４の上端へ係合可能な係合突部４７を形成する。
【００２９】
次に本実施形態の作用について説明する。
ノズル筒３２から容器体内容物を吐出させるには、カバー筒４０を下降させた状態で、ノズルヘッド３０を押下げればよく、すると環状ピストンが下降して容器体内容物がステムを介してノズル筒から吐出する。
【００３０】
不使用時には、カバー筒４０を反時計方向へ回動させればよく、すると下方の水平部に位置する突部４１がリブを乗越えて螺旋部へ移行して上方へ移動するため、これと共にカバー筒４０が上昇してポンプ作動規制部４５がノズル筒下端へ当接すると共に、係合突部４７が垂下板３３ｂの切欠部３４の上端へ当接し、同時に突部４１はリブを乗越えて上方の水平部へ嵌合する。このようにポンプ作動規制部４５がノズル筒下端へ当接すると共に、係合突部４７が垂下板３３ｂの切欠部３４の上端へ当接するため、ノズルヘッドの押下げを防止することが可能である。
【００３１】
カバー筒４０は下限位置において嵌合孔４４が係合板３３下端へ係合しているため、カバー筒の回動時にノズルヘッドはカバー筒と共に回動する。
【００３２】
使用時には、上記のようにカバー筒４０を下降させるのであるが、そのためにカバー筒を回動させると、上方の水平部に位置する突部４１がリブを乗越えて螺旋部へ移行し、これと共にカバー筒が下降するが、その際ノズルヘッド３０の係合板３３は嵌合孔４４へ係合しているため、ノズルヘッド３０はカバー筒４０の回動と共に回動することとなり、したがって、吐出方向を定めるためにカバー筒の下限位置においてカバー筒の握り位置を変えることを要しない。
【００３３】
なお、上記では係合板３３はノズルヘッド３０の後部に設けたが、これに限定されることなく、例えば、係合板３３をノズルヘッド本体の左右両側に設けると共に、嵌合孔４４の左右両部に切欠部を設けて、該切欠部へ係合板３３を上下動自在に係合させても同一の作用効果が得られる。
【００３４】
ポンプ作動規制部４５は、上記ではカバー筒４０の頂壁から垂下したが、これに限らず、例えば、カバー筒の周面から突設することも可能である。また、溝部８は螺旋状に設けたが、上下方向への直線状に形成することも可能である。さらには、係合板３３を省略することも可能である。
【００３５】
なお、使用時においてはカバー筒４０の頂壁４３とノズル筒３２との間隔は、容器体内容物を取り易くすると共に、頂壁４３への内容物の付着防止の観点からできるだけ大であることが好ましい。このようにするためにはカバー筒４０の下降ストロークをできるだけ大にする必要があるが、係合板３３を省略した場合にはノズルヘッド３０がカバー筒４０の回動と共に回動しないこととなって容器体を握り変える必要が生じることから係合板の省略は好ましくない。
【産業上の利用可能性】
【００３６】
本発明は、ノズルヘッドの押下げで容器体内容物を吐出可能な吐出容器の分野に利用することができる。
【符号の説明】
【００３７】
８  溝部
８ｃ、８ｃ  リブ
２０  ステム
３０  ノズルヘッド
３２  ノズル
３３  係合板
３４  切欠部
４０  カバー筒
４１  突部
４３  頂壁
４４  嵌合孔
４５  ポンプ作動規制部
４６  垂下壁
４７  係合突部
【図１】
2011136723.tif 000003
【図２】
2011136723.tif 000004
【図３】
2011136723.tif 000005
【図４】
2011136723.tif 000006
【図５】
2011136723.tif 000007
【図６】
2011136723.tif 000008
【図７】
2011136723.tif 000009